(57)【要約】      （修正有）【課題】剥取部を天面部からより簡単に剥ぎ取ることができ、物品の出し入れを容易に行うことができる包装袋を提供する。【解決手段】  物品を収容する包装袋３１であって、箱状の包装袋本体３２の天面部３３に、該天面部の外周に沿って形成された第１のミシン目３４と、この第１のミシン目に沿って前記天面部から剥ぎ取られることで、前記天面部に開口部３５を形成する剥取部３６とを備え、前記剥取部には、この剥取部を少なくとも２つに分断可能にする第２のミシン目３７が形成され、前記天面部には、前記剥取部を剥ぎ取る際に、前記剥取部を天面部から引き起こし可能とする引起部３９、３９が設けられ、前記第２のミシン目の中央が、包装袋本体の一方の側面部側および他方の側面部側にそれぞれ突出するように凸状に形成されており、この凸状をなした天面部が前記引起部３９、３９とされている。【選択図】図３
2005162331.tif 000002
【特許請求の範囲】
【請求項１】
内部に、物品を収容する包装袋であって、
箱状の包装袋本体と、
該包装袋本体の互いに対向する側壁に、それぞれ包装袋本体の天面部を跨らないようにして設けられた一対の手提げ部と、
前記包装袋本体の天面部に、該天面部の外周に沿って形成された第１のミシン目と、
この第１のミシン目に沿って前記天面部から剥ぎ取られることで、前記天面部に開口部を形成する剥取部とを備え、
前記剥取部には、この剥取部を少なくとも２つに分断可能にする第２のミシン目が形成され、
前記天面部には、前記剥取部を剥ぎ取る際に、前記剥取部を天面部から引き起こし可能とする引起部が設けられ、
前記第２のミシン目の中央が、包装袋本体の一方の側面部側および他方の側面部側にそれぞれ突出するように凸状に形成されており、この凸状をなした天面部が前記引起部とされていることを特徴とする包装袋。
【請求項２】
前記第２のミシン目が新たに設けられ、この第２のミシン目を、前記一方の側面部側及び前記他方の側面部側に突出するように凸状に形成することにより、引起部が更に２つ設けられていることを特徴とする請求項１記載の包装袋。
【請求項３】
内部に、物品を収容する包装袋であって、
箱状の包装袋本体と、
該包装袋本体の互いに対向する側壁に、それぞれ包装袋本体の天面部を跨らないようにして設けられた一対の手提げ部と、
前記包装袋本体の天面部に、該天面部の外周に沿って形成された第１のミシン目と、
この第１のミシン目に沿って前記天面部から剥ぎ取られることで、前記天面部に開口部を形成する剥取部とを備え、
前記剥取部には、この剥取部を少なくとも２つに分断可能にする第２のミシン目が形成され、
前記天面部には、前記剥取部を剥ぎ取る際に、前記剥取部を天面部から引き起こし可能とする引起部が設けられ、
前記引起部は、前記天面部に、前記天面部から上方に突出するようにテープや取っ手が設けられることによって構成されていることを特徴とする包装袋。
【請求項４】
内部に、物品を収容する包装袋であって、
箱状の包装袋本体と、
該包装袋本体の互いに対向する側壁に、それぞれ包装袋本体の天面部を跨らないようにして設けられた一対の手提げ部と、
前記包装袋本体の天面部に、該天面部の外周に沿って形成された第１のミシン目と、
この第１のミシン目に沿って前記天面部から剥ぎ取られることで、前記天面部に開口部を形成する剥取部とを備え、
前記剥取部には、この剥取部を少なくとも２つに分断可能にする第２のミシン目が形成され、
前記天面部には、前記剥取部を剥ぎ取る際に、前記剥取部を天面部から引き起こし可能とする引起部が設けられ、
前記引起部は、前記剥取部の内部に、ミシン目で円状等の形状をなすように形成されることによって設けられていることを特徴とする包装袋。
【発明の詳細な説明】
【技術分野】
【０００１】
本発明は、内部に、物品を収容する包装袋に関するものである。
【背景技術】
【０００２】
一般に、紙おむつ、衛生・生理用品等は、圧縮された状態で包装袋に収容されて搬送、販売されている。
このような包装袋として、例えば、特許文献１記載の技術が挙げられる。この包装袋は、略直方体状をなしており、側面パネル部に馬蹄型の開封用ミシン目が形成されている。そして、この開封用ミシン目に沿って切り離すことにより包装袋を開封している。また、上面パネル部には、吊手部が設けられており、この吊手部には吊手用の開口が形成されている。
また、例えば、包装袋の天面部に剥ぎ取ることにより開口部を形成する剥取部を設け、引起部から剥取部を引き起こして剥ぎ取るものも知られている（特許文献２）。
【特許文献１】特開平２−１０９８５８号公報
【特許文献２】実開平３−９３４６６号公報
【発明の開示】
【発明が解決しようとする課題】
【０００３】
ところで、前記特許文献１記載の包装袋において、前記ミシン目は側面パネル部に形成されているため、ミシン目を切り離して開口部を設けた場合に、この開口部の面積が狭く、収容された圧縮物品を取り出そうとすると、圧縮物品が開口部で引っかかることがあり、その出し入れが困難であった。
また、剥取部を天面部からより簡単に剥ぎ取ることができることが望まれていた。
【０００４】
本発明は、上記事情に鑑みてなされたもので、剥取部を天面部からより簡単に剥ぎ取ることができ、物品の出し入れを容易に行うことができる包装袋を提供することを課題としている。
【課題を解決するための手段】
【０００５】
上記課題を解決するために、請求項１の発明は、例えば、図１および図４に示すように、内部に、物品を収容する包装袋３１であって、
箱状の包装袋本体３２と、
該包装袋本体の互いに対向する側壁に、それぞれ包装袋本体の天面部３３を跨らないようにして設けられた一対の手提げ部と、
前記包装袋本体の天面部に、該天面部の外周に沿って形成された第１のミシン目３４と、
この第１のミシン目に沿って前記天面部から剥ぎ取られることで、前記天面部に開口部３５を形成する剥取部３６とを備え、
前記剥取部には、この剥取部を少なくとも２つに分断可能にする第２のミシン目３７が形成され、
前記天面部には、前記剥取部を剥ぎ取る際に、前記剥取部を天面部から引き起こし可能とする引起部３９、３９が設けられ、
前記第２のミシン目の中央が、包装袋本体の一方の側面部側および他方の側面部側にそれぞれ突出するように凸状に形成されており、この凸状をなした天面部が前記引起部３９、３９とされていることを特徴とする。
【０００６】
請求項２の発明は、請求項１記載の包装袋において、
前記第２のミシン目が新たに設けられ、この第２のミシン目を、前記一方の側面部側及び前記他方の側面部側に突出するように凸状に形成することにより、引起部が更に２つ設けられていることを特徴とする。
【０００７】
請求項３の発明は、内部に、物品を収容する包装袋であって、
箱状の包装袋本体と、
該包装袋本体の互いに対向する側壁に、それぞれ包装袋本体の天面部を跨らないようにして設けられた一対の手提げ部と、
前記包装袋本体の天面部に、該天面部の外周に沿って形成された第１のミシン目と、
この第１のミシン目に沿って前記天面部から剥ぎ取られることで、前記天面部に開口部を形成する剥取部とを備え、
前記剥取部には、この剥取部を少なくとも２つに分断可能にする第２のミシン目が形成され、
前記天面部には、前記剥取部を剥ぎ取る際に、前記剥取部を天面部から引き起こし可能とする引起部が設けられ、
前記引起部は、前記天面部に、前記天面部から上方に突出するようにテープや取っ手が設けられることによって構成されていることを特徴とする。
【０００８】
請求項４記載の発明は、内部に、物品を収容する包装袋であって、
箱状の包装袋本体と、
該包装袋本体の互いに対向する側壁に、それぞれ包装袋本体の天面部を跨らないようにして設けられた一対の手提げ部と、
前記包装袋本体の天面部に、該天面部の外周に沿って形成された第１のミシン目と、
この第１のミシン目に沿って前記天面部から剥ぎ取られることで、前記天面部に開口部を形成する剥取部とを備え、
前記剥取部には、この剥取部を少なくとも２つに分断可能にする第２のミシン目が形成され、
前記天面部には、前記剥取部を剥ぎ取る際に、前記剥取部を天面部から引き起こし可能とする引起部が設けられ、
前記引起部は、前記剥取部の内部に、ミシン目で円状等の形状をなすように形成されることによって設けられていることを特徴とする。
【発明の効果】
【０００９】
請求項１の発明によれば、包装袋本体と、一対の手提げ部と、前記包装袋本体の天面部に、該天面部の外周に沿って形成された第１のミシン目と、この第１のミシン目に沿って剥ぎ取られることで、前記天面部に開口部を形成する剥取部とを備えているので、前記剥取部を前記天面部から剥ぎ取ることによって、前記天面部に前記開口部が形成される。したがって、従来のように、開口部が側面パネル部に設けられている場合は、内部に収容されている物品が全て取り出されるとゴミとされていたが、本発明では、天面部に形成された開口部から物を入れて再利用することができ、資源の有効利用を図ることができる。
また、前記開口部は、天面部の外周に沿って形成された第１のミシン目によって天面部の全面に形成されるので、開口部の面積が広くなり、内部に収容されている物品が開口部に引っかかることなく、出し入れをスムーズに行うことができる。
さらに、前記開口部は、天面部に形成されるので、従来のように、側面パネル部にプリントされた絵柄等のデザインが損なわれることもなく、見た目にも優れる。
また、前記開口部が、従来のように側面パネル部に設けられている場合に比して、一旦、前記第１ミシン目を切り離して前記剥取部を剥ぎ取った場合に、前記開口部から物品が外側に飛び出しづらく、包装袋本体内で物品は整列された状態を保つことができ、よって、包装袋を容易に持ち運ぶことができる。
【００１０】
前記手提げ部は、互いに対向する側壁に、それぞれ包装袋本体の天面部を跨がらないようにして設けられているので、例えば、手提げ部が、互いに対向する側壁に、包装袋本体の天面部を跨るようにして設けられている場合に比して、前記手提げ部に干渉されずに、前記剥取部を天面部から容易に剥ぎ取ることができ、また、剥取部を剥ぎ取ることで形成される開口部から、物品を容易に取り出すことができる。
更に、剥取部には、この剥取部を少なくとも２つに分断可能にする第２のミシン目が形成されているので、この第２のミシン目と前記第１のミシン目とによって剥取部が複数に分断されることによって、剥取部を段階的に天面部から剥ぎ取ることができる。
したがって、例えば、包装袋本体の端に収容されている物品から順番に取り出していく場合に、前記剥取部は、段階的に剥ぎ取ることができるので、剥取部のうちの一部のみを剥ぎ取って、その他の剥取部を、包装袋本体の天面部に設けたままの状態とすることができる。よって、剥ぎ取られずに天面部に設けられている一部の剥取部により、ゴミ等が包装袋本体内に入り込むのを防止することができる。
また、前記剥取部を段階的に剥ぎ取っていき、すべてを剥ぎ取った場合には、天面部の全面に開口部が設けられるので、内部に収容されている物品の出し入れが容易となる。
加えて、天面部には、前記剥取部を天面部から引き起こし可能とする引起部が設けられているので、前記引起部を引き起こすことによって、前記剥取部を天面部から簡単に剥ぎ取ることができる。
また、一方の引起部を包装袋本体３２内に向けて指で押圧することによって、天面部に凸状の穴を形成し、この穴から指を差し込んで剥取部の端部から第１のミシン目に沿って切り離すことによって、１つ目の分断剥取部が天面部３３から剥がされる。同様にして、他方の引起部を包装袋本体内に向けて指で押圧することによって、天面部に凸状の穴を形成し、この穴から指を差し込んで剥取部の端部から第１のミシン目に沿って切り離すことによって、２つ目の分断剥取部が天面部から剥がされ、このようにして段階的に剥取部が剥ぎ取られるので、剥取部を天面部からより簡単に剥ぎ取ることができる。
【００１１】
請求項２の発明によれば、前記第２のミシン目が新たに設けられ、この第２のミシン目を、前記一方の側面部側及び前記他方の側面部側に突出するように凸状に形成することにより、引起部が更に２つ設けられているので、剥取部を天面部からより簡単に、且つより段階的に剥ぎ取ることができる。
【００１２】
請求項３の発明によれば、引起部は、天面部に、天面部から上方に突出するようにテープや取っ手が設けられることによって構成されているので、剥取部を天面部からより簡単に剥ぎ取ることができ、物品の出し入れを容易に行うことができる。
【００１３】
請求項４記載の発明によれば、引起部は、剥取部の内部に、ミシン目で円状等の形状をなすように形成されることによって設けられているので、剥取部を天面部からより簡単に剥ぎ取ることができ、物品の出し入れを容易に行うことができる
【発明を実施するための最良の形態】
【００１４】
以下、本発明の第１〜第３の実施の形態を図面に基づいて説明する。
図１は、本発明の第１の実施の形態の包装袋の斜視図であり、図２は、天面部から剥取部が剥がされる状態を示す包装袋の斜視図である。
図１に示すように、本発明の第１の実施の形態の包装袋１は、例えば、紙おむつや衛生・生理用品等の圧縮物品１４が、複数整列されて内部に収容されるものである。
前記包装袋１は、包装袋本体２と、一対の手提げ部３，３と、包装袋本体２の天面部４に、該天面部４の外周に沿って形成された第１のミシン目５と、この第１のミシン目５に沿って天面部４から剥ぎ取られることで、天面部４の全面に開口部６を形成する剥取部７とを備えている。
【００１５】
前記包装袋本体２は、ポリエチレン、ポリプロピレン等のプラスチックフィルムからなるものであり、前面部８と、背面部９と、２つの側面部１０，１０と、天面部４と、底面部１１とを備えた箱状をなしている。
前記前面部８と背面部９と側面部１０，１０との上端には、該上端から連続して上方に延びるリブ部１２が設けられている。そして、互いに対向する前面部８と背面部９とに設けられたリブ部１２，１２に、それぞれ包装袋本体２の天面部４を跨らないようにしてループ状の前記手提げ部３，３が取りつけられている。
【００１６】
前記天面部４には、剥取部７を第１のミシン目５に沿って剥ぎ取る際に、剥取部７を天面部４から引起し可能とする引起部１３が設けられている。
すなわち、前記第１のミシン目５は、天面部４とほぼ同様の略矩形状をなしており、前面部８および背面部９に沿って形成され、前面部８側および背面部９側に位置する長辺部５a,５aと、側面部１０，１０に沿って形成され、側面部１０，１０側に位置する短辺部５b,５bとを備えている。そして、第１のミシン目５は、前記短辺部５b,５bのうちの一方の短辺部５bの中央が、剥取部７側に突出するように凸状に形成されており、この凸状をなした天面部４が前記引起部１３とされている。
【００１７】
したがって、図２に示すように、この引起部１３を包装袋本体２内に向けて指で押圧することによって、天面部４に凸状の穴を形成し、この穴から指を差し込んで剥取部７の端部７aから他方の端部７b側に向けて、第１のミシン目５に沿って切り離すことによって、剥取部７が天面部４から剥がされるようになっている。
【００１８】
本発明の第１の実施の形態の包装袋１によれば、包装袋本体２と、一対の手提げ部３，３と、第１のミシン目５と、剥取部７とを備えているので、剥取部７を天面部４から剥ぎ取ることによって、天面部４に開口部６が形成される。したがって、この開口部６から物を入れて再利用することができ、資源の有効利用を図ることができる。
また、開口部６は、天面部４の外周に沿って形成された第１のミシン目５によって天面部４の全面に形成されるので、開口部６の面積が広くなり、内部に収容されている物品１４が開口部６に引っかかることなく、出し入れをスムーズに行うことができる。
さらに、前記開口部６は、天面部４に形成されるので、従来のように、側面パネル部にプリントされた絵柄等のデザインが損なわれることもなく、見た目にも優れる。
また、前記開口部６から物品が外側に飛び出しづらく、包装袋本体２内で物品は、整列された状態を保つことができ、よって包装袋１を容易に持ち運びでき、便利である。
【００１９】
前記手提げ部３，３は、互いに対向する前面部８と背面部９とに設けられたリブ部（側壁）１２，１２に、それぞれ包装袋本体２の天面部４を跨がらないようにして設けられているので、手提げ部３，３に干渉されずに、剥取部７を天面部４から容易に剥ぎ取ることができ、また、剥取部７を剥ぎ取ることで形成される開口部６から、物品４を容易に取り出すことができる。
【００２０】
天面部４には、剥取部７を天面部４から引き起こし可能とする引起部１３が設けられているので、引起部１３を引き起こすことによって、剥取部７を天面部４から簡単に剥ぎ取ることができる。
【００２１】
なお、本発明の第１の実施の形態において、前記引起部１３は、第１のミシン目５の短辺部５b,５bのうちの一方の短辺部５bが凸状をなすことによって、１つ設けられていたが、例えば、第１のミシン目５の短辺部５bのうちの他方の短辺部５bも凸状に形成することによって、天面部４に引起部１３を２つ設けるようにしても良い。また、第１のミシン目５の長辺部５aを凸状に形成することによって、引起部１３を設けても良い。
【００２２】
次に、本発明の第２の実施の形態の包装袋について説明する。
図３は、本発明の第２の実施の形態の包装袋に係る天面部の上面図である。
なお、本発明の第２の実施の形態の包装袋において、第１の実施の形態の包装袋１と同様の構成部分についての説明は省略し、異なる点を中心に説明する。
図３に示すように、本発明の第２の実施の形態の包装袋２１は、第１の実施の形態と同様に、包装袋本体２２と、一対の手提げ部（図示しない）と、包装袋本体２２の天面部２３に、該天面部２３の外周に沿って形成された第１のミシン目２４と、この第１のミシン目２４に沿って天面部２３から剥ぎ取られることで、天面部２３の全面に開口部２５を形成する剥取部２６とを備えている。
【００２３】
前記第１のミシン目２４は、第１の実施の形態と同様に、２つの長辺部２４a,２４aと２つの短辺部２４b,２４bとを備え、一方の短辺部２４bの中央が凸状に形成されており、この凸状をなした天面部２３が引起部２７とされている。
【００２４】
また、前記剥取部２６には、この剥取部２６を３つに分断可能にする第２のミシン目２８，２８が２本形成されている。
この第２のミシン目２８，２８は、前記第１のミシン目２４の短辺部２４bに平行となるように剥取部２６に設けられており、この第２のミシン目２８，２８が切り離されることによって、大きさの等しい３つの分断剥取部２９，…が設けられるようになっている。
【００２５】
したがって、前記引起部２７を包装袋本体２２内に向けて指で押圧することによって、天面部２３に凸状の穴を形成し、この穴から指を差し込んで剥取部２６の端部２６aから第１のミシン目２４の長辺部２４a,２４aに沿って切り離し、第２のミシン目２８に沿って切り離すことによって、１つ目の分断剥取部２９が天面部２３から剥がされるようになっている。
また、同様にして、前記第１のミシン目２４の長辺部２４a,２４aに沿って、次の第２のミシン目２８まで切り離すことによって、２つ目の分断剥取部２９が天面部２３から剥がされ、さらに、第１のミシン目２４の長辺部２４a,２４aに沿って、短辺部２４bまで切り離すことによって、３つ目の分断剥取部２９が天面部２３から剥がされ、このようにして段階的に剥取部２６が剥ぎ取られるようになっている。
【００２６】
本発明の第２の実施の形態の包装袋２１によれば、第１の実施の形態と同様の効果を得ることができるのは勿論のこと、前記剥取部２６には、第２のミシン目２８，２８が形成されているので、この第２のミシン目２８，２８と第１のミシン目２４とによって剥取部２６を３つの分断剥取部２９，…に分断され、剥取部２６を、分断剥取部２９，…ごとに段階的に天面部２３から剥ぎ取ることができる。
したがって、例えば、包装袋本体２２の端に収容されている物品１４から順番に取り出す場合に、分断剥取部２９，…ごとに段階的に剥ぎ取ることができるので、剥ぎ取られずに天面部２３に設けられている分断剥取部２９によって、ゴミ等が包装袋本体２２内に入り込むのを防止することができる。
【００２７】
また、前記分断剥取部２９，…を段階的に剥ぎ取っていき、全てを剥ぎ取った場合には、天面部２３の全面に開口部２５が設けられるので、内部に収容されている物品１４の出し入れが容易となる。
【００２８】
なお、本発明の第２の実施の形態において、前記第２のミシン目２８，２８は剥取部２６に２本形成されていたが、例えば、１本でも良いし３本以上でも良い。また、この第２のミシン目２８，２８は、短辺部２４bに平行となるように剥取部２６に形成されていたが、長辺部２４aに平行となるように形成しても良く、平行ではなく傾斜するようにして形成しても良い。すなわち、第２のミシン目２８は、剥取部２６を、少なくとも２つに分断可能にするようにして形成すれば良い。
【００２９】
また、前記引起部２７は、前記第１のミシン目２４が凸状をなすことによって１つ設けられていたが、例えば、前記第２のミシン目２８，２８の中央をそれぞれ同様にして凸状に形成することによって、天面部２３に引起部２７を３つ設けるようにしても良い。
【００３０】
次に、本発明の第３の実施の形態の包装袋について説明する。
図４は、本発明の第３の実施の形態の包装袋に係る天面部の上面図である。
なお、本発明の第３の実施の形態の包装袋において、第１の実施の形態の包装袋１と同様の構成部分についての説明は省略し、異なる点を中心に説明する。
図４に示すように、本発明の第３の実施の形態の包装袋３１は、包装袋本体３２と、一対の手提げ部（図示しない）と、包装袋本体３２の天面部３３に、該天面部３３の外周に沿って形成された第１のミシン目３４と、この第１のミシン目３４に沿って天面部３３から剥ぎ取られることで、天面部３３の全面に開口部３５を形成する剥取部３６とを備えている。
【００３１】
前記第１のミシン目３４は、第１の実施の形態と同様に、２つの長辺部３４a,３４aと２つの短辺部３４b,３４bとを備えているが、一方の短辺部３４bの中央は、第１の実施の形態と異なり凸状に形成されていない。
【００３２】
また、前記剥取部３６には、この剥取部３６を２つに分断可能にする第２のミシン目３７が１本形成されている。
この第２のミシン目３７は、前記第１のミシン目３４の短辺部３４bに平行となるように剥取部３６の中央に設けられており、この第２のミシン目３７が切り離されることによって、大きさの等しい２つの分断剥取部３８，３８が設けられるようになっている。
【００３３】
前記天面部３３には、剥取部３６を第２のミシン目３７に沿って剥ぎ取る際に、剥取部３６を天面部３３から引起し可能とする引起部３９，３９が設けられている。
すなわち、前記第２のミシン目３７の中央が、包装袋本体３２の一方の側面部側および他方の側面部側にそれぞれ突出するように凸状に形成されており、この凸状をなした天面部３３が引起部３９，３９とされている。
【００３４】
したがって、一方の引起部３９を包装袋本体３２内に向けて指で押圧することによって、天面部３３に凸状の穴を形成し、この穴から指を差し込んで剥取部３６の端部３６aから第１のミシン目３４に沿って切り離すことによって、１つ目の分断剥取部３８が天面部３３から剥がされるようになっている。
また、同様にして、他方の引起部３９を包装袋本体３２内に向けて指で押圧することによって、天面部３３に凸状の穴を形成し、この穴から指を差し込んで剥取部３６の端部３６aから第１のミシン目３４に沿って切り離すことによって、２つ目の分断剥取部３８が天面部３３から剥がされ、このようにして段階的に剥取部３６が剥ぎ取られるようになっている。
【００３５】
本発明の第３の実施の形態の包装袋３１によれば、第１および第２の実施の形態と同様の効果を得ることができる。
【００３６】
なお、本発明の第３の実施の形態において、前記引起部３９，３９は、第２のミシン目３７の中央が、一方の側面部側および他方の側面部側に突出するように、それぞれ凸状に形成されることによって設けられていたが、例えば、新たに、第２のミシン目３７を設けて、この第２のミシン目３７を同様に、一方の側面部側および他方の側面部側に突出するように凸状に形成することによって、引起部３９をさらに２つ設けるようにしても良い。
【００３７】
本発明の第１〜第３の実施の形態の包装袋１，２１，３１において、前記引起部１３，２７，３９は、前記第１のミシン目５，２４や第２のミシン目３７が凸状に形成されることによって天面部４，２３，３３に設けられるものであったが、これに限らず例えば、天面部４，２３，３３に、該天面部４，２３，３３から上方に突出するようにしてテープや取っ手等を設け、これを引起部１３，２７，３９としても良い。
また、前記引起部１３，２７，３９は、天面部４，２３，３３すなわち、剥取部７，２６，３６の内部に、ミシン目で円状等の形状をなすように形成することによって設けられるものとしても良い。
【００３８】
さらに、包装袋１，２１，３１の内部に収容されている紙おむつ、衛生・生理用品等の圧縮物品１４は、図２に示すように、左右（一方の側面部１０から他方の側面部１０）に並べて収容されていても良いし、上下（底面部１１から天面部４）に積み重ねるようにして収容されていても良く、包装袋１，２１，３１の実施形態に応じて適宜収容されているものとする。
【図面の簡単な説明】
【００３９】
【図１】本発明の第１の実施の形態を示すためのもので、包装袋の斜視図である。
【図２】同、天面部から剥取部が剥がされる状態を示す包装袋の斜視図である。
【図３】本発明の第２の実施の形態を示すためのもので、包装袋の天面部における上面図である。
【図４】本発明の第３の実施の形態を示すためのもので、包装袋の天面部における上面図である。
【符号の説明】
【００４０】
１  包装袋
２  包装袋本体
３  手提げ部
４  天面部
５  第１のミシン目
６  開口部
７，２６  剥取部
１２  側壁
１３  引起部
１４  物品
２８  第２のミシン目
【図１】
2005162331.tif 000003
【図２】
2005162331.tif 000004
【図３】
2005162331.tif 000005
【図４】
2005162331.tif 000006